(57)【要約】【課題】ユーザと有名人との関係性を双方向的なものにして強くできる「投票処理システム、サーバ装置、端末装置、投票処理用プログラムおよび投票処理方法」を提供する。【解決手段】有名人によってサーバ装置１００に投稿された複数の投稿情報の中から端末装置２００においてユーザにより選択された投稿情報に記述されている施設を目的地として、端末装置２００がある現在地から目的地までの経路を探索してユーザに提供する経路探索部１４と、目的地が設定された時点から、ユーザが目的地に到着する時点までの間で発生する任意のトリガに従って、有名人に利益をもたらす応援ポイントを発行し、目的地に設定した施設に関する投稿情報を投稿した有名人に対して応援ポイントを付与する応援ポイント付与部１６とを備え、ユーザが自分の意思で自分の好きな有名人に対して応援ポイントを投票することができるようにする。【選択図】図２
2014228458.tif 000002
【特許請求の範囲】
【請求項１】
投稿情報を配信可能なサーバ装置と、特定人物のファンであるユーザによって操作される端末装置とを備えた投票処理システムであって、
上記サーバ装置は、
上記特定人物によって投稿された上記投稿情報を受信する投稿情報受信部と、
上記投稿情報受信部により受信された上記投稿情報を記憶する上記投稿情報記憶部と、
上記端末装置からの投稿情報取得要求に応じて、上記投稿情報記憶部に記憶されている上記投稿情報を上記端末装置に送信する投稿情報送信部と、
上記端末装置からの経路探索要求に応じて、上記経路探索要求に地点情報として含まれている現在地から目的地までの経路を探索して上記端末装置に送信する経路探索部と、
上記端末装置から送られてくる応援ポイント発行要求に応じて、上記目的地に設定した施設に関する投稿情報を投稿した特定人物に対して応援ポイントを付与する応援ポイント付与部と、
上記特定人物ごとに、上記応援ポイント付与部により付与された上記応援ポイントを記憶する応援ポイント記憶部とを備え、
上記端末装置は、
上記サーバ装置に対して上記投稿情報取得要求を送信する投稿情報取得要求部と、
上記投稿情報送信部によって送信された上記投稿情報を表示する投稿情報表示部と、
上記投稿情報表示部により表示された複数の投稿情報の中から上記ユーザにより選択された投稿情報に記述されている施設を上記目的地に設定する目的地設定部と、
上記現在地を特定する現在地特定部と、
上記現在地特定部により特定された上記現在地および上記目的地設定部により設定された上記目的地の各地点情報を含む上記経路探索要求を上記サーバ装置に送信する経路探索要求部と、
上記経路探索部によって送信された経路を受信する経路受信部と、
上記目的地が設定された時点から上記目的地に到着する時点までの間で任意のトリガとしてあらかじめ設定されたトリガが発生したか否か判定し、当該設定されたトリガが発生したと判定した場合、上記応援ポイント発行要求を上記サーバ装置に送信するポイント発行要求部と、
を備えたことを特徴とする投票処理システム。
【請求項２】
投稿情報を配信可能なサーバ装置と、特定人物のファンであるユーザによって操作される端末装置とを備えた投票処理システムであって、
上記サーバ装置は、
上記特定人物によって投稿された上記投稿情報を受信する投稿情報受信部と、
上記投稿情報受信部により受信された上記投稿情報を記憶する投稿情報記憶部と、
上記端末装置からの投稿情報取得要求に応じて、上記投稿情報記憶部に記憶されている上記投稿情報を上記端末装置に送信する投稿情報送信部と、
上記端末装置から送られてくる応援ポイント発行要求に応じて、目的地に設定した施設に関する投稿情報を投稿した特定人物に対して応援ポイントを付与する応援ポイント付与部と、
上記特定人物ごとに、上記応援ポイント付与部により付与された上記応援ポイントを記憶する応援ポイント記憶部とを備え、
上記端末装置は、
上記サーバ装置に対して上記投稿情報取得要求を送信する投稿情報取得要求部と、
上記投稿情報送信部によって送信された上記投稿情報を表示する投稿情報表示部と、
上記投稿情報表示部により表示された複数の投稿情報の中から上記ユーザにより選択された投稿情報に記述されている施設を上記目的地に設定する目的地設定部と、
上記現在地を特定する現在地特定部と、
上記現在地特定部により特定された上記現在地から上記目的地設定部により設定された上記目的地までの経路を探索する経路探索部と、
上記目的地が設定された時点から上記目的地に到着する時点までの間で任意のトリガとしてあらかじめ設定されたトリガが発生したか否か判定し、当該設定されたトリガが発生したと判定した場合、上記応援ポイント発行要求を上記サーバ装置に送信するポイント発行要求部と、
を備えたことを特徴とする投票処理システム。
【請求項３】
上記ポイント発行要求部は、上記あらかじめ設定されたトリガとして、上記経路に沿って進行したユーザが上記目的地に到着するというトリガが発生した場合に、上記応援ポイント発行要求を上記サーバ装置に送信する、
ことを特徴とする請求項１または２に記載の投票処理システム。
【請求項４】
上記ポイント発行要求部は、上記あらかじめ設定されたトリガとして、上記目的地設定部により上記目的地が設定されるというトリガが発生した場合に、上記応援ポイント発行要求を上記サーバ装置に送信する、
ことを特徴とする請求項１または２に記載の投票処理システム。
【請求項５】
上記サーバ装置は、
上記端末装置から送られてくるランキング情報取得要求に応じて、上記応援ポイント記憶部に記憶された応援ポイントに基づいて上記特定人物のランキング情報を生成して上記端末装置に送信するランキング情報提供部を更に備え、
上記端末装置は、
上記サーバ装置に対して、上記ランキング情報取得要求を送信するランキング情報取得要求部と、
上記サーバ装置から送信された上記ランキング情報を受信するランキング情報受信部と、
上記ランキング情報受信部によって受信された上記ランキング情報を表示するランキング情報表示部と、
を更に備えたことを特徴とする請求項１〜４のいずれか１項に記載の投票処理システム。
【請求項６】
特定人物によって投稿され、少なくとも施設の地点情報を含む投稿情報を上記特定人物のファンによって操作される端末装置に配信可能なサーバ装置であって、
上記特定人物によって投稿された上記投稿情報を受信する投稿情報受信部と、
上記投稿情報受信部により受信された上記投稿情報を記憶する投稿情報記憶部と、
上記端末装置からの投稿情報取得要求に応じて、上記投稿情報記憶部に記憶されている上記投稿情報を上記端末装置に送信する投稿情報送信部と、
上記端末装置からの経路探索要求であって、上記投稿情報送信部によって送信された上記投稿情報の中から上記ファンにより選択された投稿情報に記述されている施設を目的地とし、上記端末装置が存在する現在地および上記目的地の各地点情報を含む経路探索要求に応じて、上記現在地から上記目的地までの経路を探索して上記端末装置に送信する上記経路探索部と、
上記端末装置から送られてくる応援ポイント発行要求であって、上記目的地が設定された時点から上記ファンが上記目的地に到着する時点までの間であらかじめ設定されたトリガが発生したときに上記端末装置から送信された応援ポイント発行要求に応じて、上記目的地に設定した施設に関する投稿情報を投稿した特定人物に対して応援ポイントを付与する応援ポイント付与部と、
上記特定人物ごとに、上記応援ポイント付与部により付与された上記応援ポイントを記憶する応援ポイント記憶部と、
を備えたことを特徴とするサーバ装置。
【請求項７】
特定人物によって投稿され、少なくとも施設の地点情報を含む投稿情報を上記特定人物のファンによって操作される端末装置に配信可能なサーバ装置であって、
上記特定人物によって投稿された上記投稿情報を受信する投稿情報受信部と、
上記投稿情報受信部により受信された上記投稿情報を記憶する上記投稿情報記憶部と、
上記端末装置からの投稿情報取得要求に応じて、上記投稿情報記憶部に記憶されている上記投稿情報を上記端末装置に送信する投稿情報送信部と、
上記端末装置から送られてくる応援ポイント発行要求であって、上記投稿情報送信部によって送信された上記投稿情報の中から上記ファンにより選択された投稿情報に記述されている施設が目的地として設定された時点から、上記端末装置において探索された経路に沿って上記ファンが上記目的地に到着する時点までの間であらかじめ設定されたトリガが発生したときに上記端末装置から送信された応援ポイント発行要求に応じて、上記目的地に設定した施設に関する投稿情報を投稿した特定人物に対して応援ポイントを付与する応援ポイント付与部と、
上記特定人物ごとに、上記応援ポイント付与部により付与された上記応援ポイントを記憶する応援ポイント記憶部と、
を備えたことを特徴とするサーバ装置。
【請求項８】
上記端末装置から送られてくるランキング情報取得要求に応じて、上記応援ポイント記憶部に記憶された応援ポイントに基づいて上記特定人物のランキング情報を生成して上記端末装置に送信するランキング情報提供部
を更に備えたことを特徴とする請求項６または７に記載のサーバ装置。
【請求項９】
特定人物によって投稿され、少なくとも施設の地点情報を含む投稿情報の配信をサーバ装置から受けることが可能な端末装置であって、
上記サーバ装置に対して投稿情報取得要求を送信する投稿情報取得要求部と、
上記投稿情報取得要求に対する応答として上記サーバ装置から送信された上記投稿情報を表示する投稿情報表示部と、
上記投稿情報表示部により表示された複数の投稿情報の中からユーザにより選択された投稿情報に記述されている施設を目的地に設定する目的地設定部と、
現在地を特定する現在地特定部と、
上記現在地特定部により特定された上記現在地および上記目的地設定部により設定された上記目的地の各地点情報を含む経路探索要求を上記サーバ装置に送信する経路探索要求部と、
上記経路探索要求部により送信された上記経路探索要求に対する応答として上記サーバ装置から返信された経路を受信する経路受信部と、
上記目的地が設定された時点から上記目的地に到着する時点までの間で任意のトリガとしてあらかじめ設定されたトリガが発生したか否か判定し、当該設定されたトリガが発生したと判定した場合、上記目的地に設定した施設に関する投稿情報を投稿した特定人物に対して利益をもたらす応援ポイントの付与を要求する応援ポイント発行要求を上記サーバ装置に送信するポイント発行要求部と、
を備えたことを特徴とする端末装置。
【請求項１０】
特定人物によって投稿され、少なくとも施設の地点情報を含む投稿情報の配信をサーバ装置から受けることが可能な端末装置であって、
上記サーバ装置に対して投稿情報取得要求を送信する投稿情報取得要求部と、
上記投稿情報取得要求に対する応答として上記サーバ装置から送信された上記投稿情報を表示する投稿情報表示部と、
上記投稿情報表示部により表示された複数の投稿情報の中から上記ユーザにより選択された投稿情報に記述されている施設を目的地に設定する目的地設定部と、
現在地を特定する現在地特定部と、
上記現在地特定部により特定された上記現在地から上記目的地設定部により設定された上記目的地までの経路を探索する経路探索部と、
上記目的地が設定された時点から上記目的地に到着する時点までの間で任意のトリガとしてあらかじめ設定されたトリガが発生したか否か判定し、当該設定されたトリガが発生したと判定した場合、上記目的地に設定した施設に関する投稿情報を投稿した特定人物に対して利益をもたらす応援ポイントの付与を要求する応援ポイント発行要求を上記サーバ装置に送信するポイント発行要求部と、
を備えたことを特徴とする端末装置。
【請求項１１】
上記サーバ装置に対して、ランキング情報取得要求を送信するランキング情報取得要求部と、
上記ランキング情報取得要求に対する応答として、上記サーバ装置から返信されたランキング情報を受信するランキング情報受信部と、
上記ランキング情報受信部によって受信された上記ランキング情報を表示するランキング情報表示部と、
を更に備えたことを特徴とする請求項９または１０に記載の端末装置。
【請求項１２】
特定人物によって投稿され、少なくとも施設の地点情報を含む投稿情報を配信可能なサーバ装置と、上記特定人物のファンであるユーザによって操作される端末装置とを備え、上記サーバ装置が、上記投稿情報を記憶する投稿情報記憶部と、上記特定人物に利益をもたらす応援ポイントを上記特定人物ごとに記憶する応援ポイント記憶部とを備えた投票処理システムの上記サーバ装置に適用される投票処理用プログラムであって、
上記端末装置からの投稿情報取得要求に応じて、上記投稿情報記憶部に記憶されている上記投稿情報を上記端末装置に送信する投稿情報送信手段、
上記端末装置から送られてくる経路探索要求であって、上記投稿情報送信手段によって送信された上記投稿情報の中から上記ファンにより選択された投稿情報に記述されている施設を目的地とし、上記端末装置が存在する現在地および上記目的地の各地点情報を含む経路探索要求に応じて、上記現在地から上記目的地までの経路を探索して上記端末装置に送信する経路探索手段、および
上記端末装置から送られてくる応援ポイント発行要求であって、上記目的地が設定された時点から上記ファンが上記目的地に到着する時点までの間であらかじめ設定されたトリガが発生したときに上記端末装置から送信された応援ポイント発行要求に応じて、上記目的地に設定した施設に関する投稿情報を投稿した特定人物に対して上記応援ポイントを付与し、上記応援ポイント記憶部に記憶させる応援ポイント付与手段、
としてコンピュータを機能させるための投票処理用プログラム。
【請求項１３】
特定人物によって投稿され、少なくとも施設の地点情報を含む投稿情報を配信可能なサーバ装置と、上記特定人物のファンであるユーザによって操作される端末装置とを備え、上記サーバ装置が、上記投稿情報を記憶する投稿情報記憶部と、上記特定人物に利益をもたらす応援ポイントを上記特定人物ごとに記憶する応援ポイント記憶部とを備えた投票処理システムの上記端末装置に適用される投票処理用プログラムであって、
上記サーバ装置に対して投稿情報取得要求を送信する投稿情報取得要求手段、
上記投稿情報取得要求に対する応答として上記サーバ装置から送信された上記投稿情報を表示する投稿情報表示手段、
上記投稿情報表示手段により表示された複数の投稿情報の中からユーザにより選択された投稿情報に記述されている施設を目的地に設定する目的地設定手段、
現在地を特定する現在地特定手段、
上記現在地特定手段により特定された上記現在地および上記目的地設定手段により設定された上記目的地の各地点情報を含む経路探索要求を上記サーバ装置に送信する経路探索要求手段、
上記経路探索要求手段により送信された上記経路探索要求に対する応答として上記サーバ装置から返信された経路を受信する経路受信手段、
上記目的地が設定された時点から上記目的地に到着する時点までの間で任意のトリガとしてあらかじめ設定されたトリガが発生したか否か判定し、当該設定されたトリガが発生したと判定した場合、上記目的地に設定した施設に関する投稿情報を投稿した特定人物に対して利益をもたらす応援ポイントの付与を要求する応援ポイント発行要求を上記サーバ装置に送信するポイント発行要求手段、
としてコンピュータを機能させるための投票処理用プログラム。
【請求項１４】
特定人物によって投稿され、少なくとも施設の地点情報を含む投稿情報を配信可能なサーバ装置と、上記特定人物のファンであるユーザによって操作される端末装置とを備えた投票処理システムにおいて、上記ユーザが上記特定人物に対して応援ポイントを投票する投票処理方法であって、
上記端末装置の投稿情報取得要求部が、上記サーバ装置に対して投稿情報取得要求を送信する第１のステップと、
上記サーバ装置の投稿情報送信部が、上記端末装置からの投稿情報取得要求に応じて、上記特定人物によって投稿された上記投稿情報を記憶した投稿情報記憶部から上記投稿情報を読み出して上記端末装置に送信する第２のステップと、
上記端末装置の投稿情報表示部が、上記投稿情報送信部によって送信された上記投稿情報を表示する第３のステップと、
上記端末装置の目的地設定部が、上記投稿情報表示部により表示された複数の投稿情報の中から上記ユーザにより選択された投稿情報に記述されている施設を目的地に設定する第４のステップと、
上記端末装置の現在地特定部が、現在地を特定する第５のステップと、
上記端末装置の経路探索要求部が、上記現在地特定部により特定された上記現在地および上記目的地設定部により設定された上記目的地の各地点情報を含む上記経路探索要求を上記サーバ装置に送信する第６のステップと、
上記サーバ装置の経路探索部が、上記端末装置からの経路探索要求に応じて、上記経路探索要求に地点情報として含まれている上記現在地から上記目的地までの経路を探索して上記端末装置に送信する第７のステップと、
上記端末装置の経路受信部が、上記経路探索部によって送信された経路を受信する第８のステップと、
上記端末装置のポイント発行要求部が、上記目的地が設定された時点から上記目的地に到着する時点までの間で任意のトリガとしてあらかじめ設定されたトリガが発生したか否か判定し、当該設定されたトリガが発生したと判定した場合、応援ポイント発行要求を上記サーバ装置に送信する第９のステップと、
上記サーバ装置の応援ポイント付与部が、上記端末装置から送られてくる上記応援ポイント発行要求に応じて、上記目的地に設定した施設に関する投稿情報を投稿した特定人物に対して上記応援ポイントを付与して応援ポイント記憶部に記憶させる第１０のステップと、
を有することを特徴とする投票処理方法。
【請求項１５】
特定人物によって投稿され、少なくとも施設の地点情報を含む投稿情報を配信可能なサーバ装置と、上記特定人物のファンであるユーザによって操作される端末装置とを備えた投票処理システムにおいて、上記ユーザが上記特定人物に対して応援ポイントを投票する投票処理方法であって、
上記端末装置の投稿情報取得要求部が、上記サーバ装置に対して投稿情報取得要求を送信する第１のステップと、
上記サーバ装置の投稿情報送信部が、上記端末装置からの投稿情報取得要求に応じて、上記特定人物によって投稿された上記投稿情報を記憶した投稿情報記憶部から上記投稿情報を読み出して上記端末装置に送信する第２のステップと、
上記端末装置の投稿情報表示部が、上記投稿情報送信部によって送信された上記投稿情報を表示する第３のステップと、
上記端末装置の目的地設定部が、上記投稿情報表示部により表示された複数の投稿情報の中から上記ユーザにより選択された投稿情報に記述されている施設を目的地に設定する第４のステップと、
上記端末装置の現在地特定部が、現在地を特定する第５のステップと、
上記端末装置の経路探索部が、上記現在地特定部により特定された上記現在地から上記目的地設定部により設定された上記目的地までの経路を探索する第５のステップと、
上記端末装置のポイント発行要求部が、上記目的地が設定された時点から上記目的地に到着する時点までの間で任意のトリガとしてあらかじめ設定されたトリガが発生したか否か判定し、当該設定されたトリガが発生したと判定した場合、応援ポイント発行要求を上記サーバ装置に送信する第６のステップと、
上記サーバ装置の応援ポイント付与部が、上記端末装置から送られてくる上記応援ポイント発行要求に応じて、上記目的地に設定した施設に関する投稿情報を投稿した特定人物に対して上記応援ポイントを付与して応援ポイント記憶部に記憶させる第７のステップと、
を有することを特徴とする投票処理方法。
【発明の詳細な説明】
【技術分野】
【０００１】
本発明は、投票処理システム、サーバ装置、端末装置、投票処理用プログラムおよび投票処理方法に関し、特に、投稿情報を配信可能なサーバ装置と、特定人物のファンによって操作される端末装置とを備えた投票処理システムに用いて好適なものである。
【背景技術】
【０００２】
従来、有名人（芸能人、タレント、モデルなど）が施設に関する口コミ情報をスマートフォン（送信端末）からサーバに投稿し、ユーザ（ファン）が自身の所有するスマートフォン（受信端末）を用いて、好きな有名人の投稿情報をサーバから受信して投稿に係る施設を目的地に設定することにより、その施設までの経路をその有名人が案内・誘導してくれるシステムが提供されている。
【０００３】
このシステムでは、ユーザが経路に沿って進行していくと、その経路の途中にある案内交差点等において有名人の画像が表示され、進行方向を案内してくれる。また、目的地に到着したときにも有名人の画像が表示され、目的地への到着を知らせてくれる。これにより、システムを使用するユーザ（ファン）は、好きな有名人による経路誘導を通じて癒しの提供を受けることができる。
【０００４】
しかしながら、従来のシステムでは、有名人とファンとの関係性は、あくまでも有名人によって提供される施設の口コミ情報やその施設までの経路誘導を、ファンが一方的に享受するという関係性となっている。そのため、ファンにとっては、自身が好んでいる有名人に対する思い入れを強くすることが難しく、他の新しい有名人へ心が移ってしまうことも珍しくはなかった。
【０００５】
なお、目的地の設定支援に関連する従来技術として、目的地に到着したことが判定された場合に、目的地として設定された施設に付された施設ＩＤを含む評価情報を作成することにより、信頼性の高い施設の評価情報をユーザに提供できるようにした施設検索システムが提案されている（例えば、特許文献１参照）。また、サーバが各車両から目的地情報を取得し、目的地の設定回数や目的地に滞在した時間に基づいて施設ランキングを作成することにより、ユーザが目的地を選択するのを支援するシステムも提案されている（例えば、特許文献２参照）。
【０００６】
さらに、商品紹介情報の投稿に関連する従来技術として、あるユーザが商品紹介記事をもとに商品を購入した場合に、この商品紹介記事を投稿したユーザにポイントを付与するようにした商品情報収集システムが提案されている（例えば、特許文献３参照）。
【先行技術文献】
【特許文献】
【０００７】
【特許文献１】特開２００７−３３４５０５号公報
【特許文献２】特開２００８−１５１５３１号公報
【特許文献３】特開２００３−１６７９９０号公報
【発明の概要】
【発明が解決しようとする課題】
【０００８】
本発明は、上述のような問題を解決するために成されたものであり、有名人が投稿した施設を目的地に設定するユーザとその有名人との関係性を双方向的なものにして強くできるようにすることを目的とする。
【課題を解決するための手段】
【０００９】
上記した課題を解決するために、本発明では、有名人等の特定人物によってサーバ装置に投稿された複数の投稿情報の中から端末装置においてユーザにより選択された投稿情報に記述されている施設を目的地として、端末装置がある現在地から目的地までの経路を探索してユーザに提供する。そして、目的地が設定された時点から、ユーザが経路に沿って進行して目的地に到着する時点までの間で発生する任意のトリガに従って、特定人物に利益をもたらす応援ポイントをサーバ装置において発行し、目的地に設定した施設に関する投稿情報を投稿した特定人物に対して応援ポイントを付与するようにしている。
【発明の効果】
【００１０】
上記のように構成した本発明によれば、ユーザが自分の好きな特定人物の投稿情報を選択し、その投稿情報に記述されている施設を目的地に設定して経路を探索すると、その経路に関する任意のトリガの発生に従って特定人物に利益をもたらす応援ポイントが発行され、ユーザが選択した投稿情報を投稿した特定人物に対して応援ポイントが付与されることとなる。これにより、特定人物によって提供される施設の投稿情報やその施設までの経路誘導をユーザが享受できることに加え、ユーザが自分の意思で自分の好きな特定人物に対して応援ポイントを投票することができるようになる。したがって、ユーザと特定人物との関係性を双方向的なものにして強くすることができる。
【図面の簡単な説明】
【００１１】
【図１】本実施形態による投票処理システムの全体構成例を示す図である。
【図２】本実施形態によるサーバ装置の機能構成例を示すブロック図である。
【図３】本実施形態によるファン用の端末装置の機能構成例を示すブロック図である
【図４】本実施形態の投稿情報表示部により表示される投稿情報一覧画面の一例を示す図である。
【図５】本実施形態のランキング情報表示部により表示されるランキング情報の表示画面の一例を示す図である。
【図６】本実施形態による投票処理システムの動作例を示すフローチャートである。
【図７】本実施形態の投稿情報表示部により表示される投稿情報一覧画面の他の例を示す図である。
【発明を実施するための形態】
【００１２】
以下、本発明の一実施形態を図面に基づいて説明する。図１は、本実施形態による投票処理システムの全体構成例を示す図である。図１に示すように、本実施形態の投票処理システムは、投稿情報を配信可能なサーバ装置１００と、有名人のファンによって操作されるファン用の端末装置２００と、有名人によって操作される有名人用の端末装置３００とを備え、これらがインターネット等の通信ネットワーク４００により接続可能に構成されている。
【００１３】
図２は、サーバ装置１００の機能構成例を示すブロック図である。図２に示すように、サーバ装置１００は、その機能構成として、投稿情報受信部１１、投稿情報記憶部１２、投稿情報送信部１３、経路探索部１４、地図データ記憶部１５、応援ポイント付与部１６、応援ポイント記憶部１７およびランキング情報提供部１８を備えている。
【００１４】
上記投稿情報受信部１１、投稿情報送信部１３、経路探索部１４、応援ポイント付与部１６およびランキング情報提供部１８の各機能ブロックは、ハードウェア、ＤＳＰ（Digital Signal Processor）、ソフトウェアの何れによっても構成することが可能である。例えばソフトウェアによって構成する場合、上記各機能ブロックは、実際にはコンピュータのＣＰＵ、ＲＡＭ、ＲＯＭなどを備えて構成され、ＲＡＭやＲＯＭ、ハードディスクまたは半導体メモリ等の記録媒体に記憶された投票処理用プログラムが動作することによって実現される。
【００１５】
したがって、上記各機能ブロックの機能は、上記投票処理用プログラムを例えばＣＤ−ＲＯＭのような記録媒体に記録し、コンピュータに読み込ませることによって実現できるものである。上記投票処理用プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記投票処理用プログラムを通信ネットワーク４００を介してコンピュータにダウンロードすることによっても実現できる。
【００１６】
図３は、ファン用の端末装置２００の機能構成例を示すブロック図である。図３に示すように、端末装置２００は、その機能構成として、操作受付部２１、投稿情報取得要求部２２、投稿情報受信部２３、投稿情報表示部２４、目的地設定部２５、現在地特定部２６、経路探索要求部２７、経路受信部２８、経路案内部２９、ポイント発行要求部３０、ランキング情報取得要求部３１、ランキング情報受信部３２およびランキング情報表示部３３を備えている。
【００１７】
上記操作受付部２１、投稿情報取得要求部２２、投稿情報受信部２３、投稿情報表示部２４、目的地設定部２５、現在地特定部２６、経路探索要求部２７、経路受信部２８、経路案内部２９、ポイント発行要求部３０、ランキング情報取得要求部３１、ランキング情報受信部３２およびランキング情報表示部３３の各機能ブロックは、ハードウェア、ＤＳＰ、ソフトウェアの何れによっても構成することが可能である。例えばソフトウェアによって構成する場合、上記各機能ブロックは、実際にはコンピュータのＣＰＵ、ＲＡＭ、ＲＯＭなどを備えて構成され、ＲＡＭやＲＯＭ、ハードディスクまたは半導体メモリ等の記録媒体に記憶された投票処理用プログラムが動作することによって実現される。
【００１８】
したがって、上記各機能ブロックの機能は、上記投票処理用プログラムを例えばＣＤ−ＲＯＭのような記録媒体に記録し、コンピュータに読み込ませることによって実現できるものである。上記投票処理用プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記投票処理用プログラムを通信ネットワーク４００を介してコンピュータにダウンロードすることによっても実現できる。
【００１９】
図２に示すサーバ装置１００の構成において、投稿情報受信部１１は、有名人によって有名人用の端末装置３００から投稿された投稿情報を受信する。この投稿情報は、投稿を行った有名人の情報と、有名人がお勧めする施設の紹介情報と、当該施設の地点情報とを含んでいる。地点情報は、例えば緯度経度などの位置情報により構成される。
【００２０】
投稿情報記憶部１２は、投稿情報受信部１１により受信された投稿情報を記憶する。投稿情報記憶部１２に記憶される投稿情報には、上述した有名人の情報、施設の紹介情報および施設の地点情報の他に、サーバ装置１００によって採番された投稿ＩＤが含まれている。すなわち、個々の投稿情報にはユニークな投稿ＩＤが付与される。
【００２１】
投稿情報送信部１３は、端末装置２００から送られてくる投稿情報取得要求に応じて、投稿情報記憶部１２に記憶されている複数の投稿情報を端末装置２００に送信する。ここで送信する投稿情報は、端末装置２００を使用するユーザ（特定の有名人のファン）が一覧として閲覧するためのものであり、投稿情報記憶部１２に記憶されている全ての投稿情報が送信の対象となる。送信される投稿情報には、投稿ＩＤと、有名人の写真画像とが含まれている。この写真画像は、投稿情報記憶部１２に記憶しておいてもよいし、有名人のマスター情報として別に記憶しておいてもよい。
【００２２】
なお、投稿情報の送信の仕方は任意に決めることが可能である。例えば、投稿情報送信部１３は、投稿情報記憶部１２に記憶されている全ての投稿情報を一度に送信することが可能である。または、投稿情報送信部１３は、端末装置２００から送られてくる画面スクロール等の指示に応じて、端末装置２００において画面表示可能な数ずつ投稿情報を順次送信するようにしてもよい。
【００２３】
経路探索部１４は、端末装置２００から送られてくる経路探索要求に応じて、地図データ記憶部１５に記憶されている地図データを用いて、経路探索要求に地点情報として含まれている現在地から目的地までの経路を探索して端末装置２００に送信する。経路探索要求に地点情報として含まれている現在地は、端末装置２００において特定されるユーザの現在位置である。また、経路探索要求に地点情報として含まれている目的地は、投稿情報記憶部１２に記憶されている複数の投稿情報（投稿情報送信部１３により送信されたもの）の中から端末装置２００においてユーザにより選択された投稿情報に記述されている施設である。
【００２４】
応援ポイント付与部１６は、端末装置２００から送られてくる応援ポイント発行要求に応じて、目的地に設定した施設に関する投稿情報を投稿した有名人に対して応援ポイントを付与し、応援ポイント記憶部１７に記憶させる。応援ポイント記憶部１７は、個々の有名人ごとに、応援ポイント付与部１６により付与された応援ポイントを記憶する。
【００２５】
具体的には、応援ポイント付与部１６は、端末装置２００から送られてくる応援ポイント発行要求に含まれている投稿ＩＤに基づいて、投稿情報記憶部１２を参照することにより、その投稿ＩＤに対応する投稿情報を投稿した有名人を特定する。そして、応援ポイント付与部１６は、この投稿情報を投稿した有名人に対して応援ポイントを付与する。
【００２６】
ランキング情報提供部１８は、端末装置２００から送られてくるランキング情報取得要求に応じて、応援ポイント記憶部１７に記憶されている応援ポイントの情報に基づいて、応援ポイントの取得数に関する有名人のランキング情報を生成して端末装置２００に送信する。
【００２７】
図３に示す端末装置２００の構成において、操作受付部２１は、端末装置２００のタッチパネルやキーボード等に対するユーザの操作を受け付ける。投稿情報取得要求部２２は、投稿情報をサーバ装置１００から取得して表示するための操作を操作受付部２１が受け付けたときに、サーバ装置１００に対して投稿情報取得要求を送信する。
【００２８】
投稿情報受信部２３は、投稿情報取得要求部２２により送信された投稿情報取得要求に対する応答としてサーバ装置１００の投稿情報送信部１３によって返信された複数の投稿情報を受信する。投稿情報表示部２４は、投稿情報受信部２３により受信された複数の投稿情報を一覧としてディスプレイに表示する。
【００２９】
図４は、投稿情報表示部２４により表示される投稿情報一覧画面の一例を示す図である。図４に示す例では、投稿情報を投稿した有名人（投稿者）の写真画像と、投稿者がお勧めする施設の紹介情報を含む投稿内容と、当該施設の地点情報とが一覧として画面表示されている。
【００３０】
目的地設定部２５は、投稿情報表示部２４により表示された複数の投稿情報の中から何れかを選択する操作を操作受付部２１が受け付けたときに、その操作を通じてユーザにより選択された投稿情報に記述されている施設を目的地に設定する。
【００３１】
現在地特定部２６は、端末装置２００の現在地を特定する。この現在地特定部２６は、例えばＧＰＳ（Global Positioning System）受信機により構成される。ＧＰＳ受信機は、複数のＧＰＳ衛星から送られてくる電波をＧＰＳアンテナで受信して、３次元測位処理あるいは２次元測位処理を行って端末装置２００の絶対位置および方位を計算する。
【００３２】
経路探索要求部２７は、ユーザによる操作を通じて目的地設定部２５により目的地が設定されたときに、その時点で現在地特定部２６により特定された現在地および目的地設定部２５により設定された目的地の各地点情報を含む経路探索要求をサーバ装置１００に送信する。
【００３３】
経路受信部２８は、経路探索要求部２７により送信された経路探索要求に対する応答としてサーバ装置１００の経路探索部１４によって送信された経路のデータを受信する。経路案内部２９は、経路受信部２８により受信された経路のデータおよび現在地特定部２６により随時特定される現在地に従って、現在地から目的地までの経路を案内する。
【００３４】
具体的には、経路案内部２９は、経路の途中にある案内交差点等において有名人の画像を表示し、進行方向を案内する。また、経路案内部２９は、目的地に到着したときにも有名人の画像を表示し、目的地への到着を報知する。これらの有名人の画像も、サーバ装置１００から端末装置２００に送信される経路データの中に含まれている。
【００３５】
ポイント発行要求部３０は、目的地設定部２５により目的地が設定された時点から経路案内部２９による経路案内に従ってユーザが目的地に到着する時点までの間で、任意のトリガとしてあらかじめ設定されたトリガが発生したか否か判定する。そして、当該設定されたトリガが発生したと判定した場合、応援ポイント発行要求をサーバ装置１００に送信する。この応援ポイント発行要求には、目的地設定部２５により目的地に設定された施設に関する投稿情報を表す投稿ＩＤが含まれている。
【００３６】
ここで、あらかじめ設定されたトリガの一例として、ユーザが目的地に到着したことをトリガとすることが可能である。この場合、経路案内部２９は、現在地特定部２５により特定される現在地に基づいて、ユーザが目的地に到着したか否か判定する。ポイント発行要求部３０は、目的地に到着したと経路案内部２９により判定された場合に、応援ポイント発行要求をサーバ装置１００に送信する。
【００３７】
また、あらかじめ設定されたトリガの別の例として、目的地設定部２５により目的地が設定されたことをトリガとすることが可能である。この場合、ポイント発行要求部３０は、目的地設定部２５により目的地が設定されたか否か判定し、目的地が設定されたと判定した場合に、応援ポイント発行要求をサーバ装置１００に送信する。
【００３８】
その他、経路案内を開始してからｎ個目（ｎは任意の値に決めることが可能）の案内交差点を通過したことをトリガとすることも可能である。この場合、経路案内部２９は、経路案内を開始してからｎ個目の案内交差点を通過したか否か判定する。ポイント発行要求部３０は、ｎ個目の案内交差点を通過したと経路案内部２９により判定された場合に、応援ポイント発行要求をサーバ装置１００に送信する。
【００３９】
ランキング情報取得要求部３１は、有名人のランキング情報をサーバ装置１００から取得して表示するための操作を操作受付部２１が受け付けたときに、サーバ装置１００に対してランキング情報取得要求を送信する。ランキング情報受信部３２は、ランキング情報取得要求部３１により送信されたランキング情報取得要求に対する応答としてサーバ装置１００のランキング情報提供部１８によって返信されたランキング情報を受信する。
【００４０】
ランキング情報表示部３３は、ランキング情報受信部３２により受信されたランキング情報を一覧としてディスプレイに表示する。図５は、ランキング情報表示部３３により表示されるランキング情報の表示画面の一例を示す図である。図５に示す例では、投稿情報を投稿した有名人（投稿者）の写真画像と、その有名人に付与された応援ポイントの累計数と、応援ポイントの取得数に関する順位とが一覧として画面表示されている。
【００４１】
なお、図５の例では、複数の有名人をランダムに並べて表示しているが、ランキング順にソートして表示するようにしてもよい。また、全ての有名人をランキング表示すると、順位の低い有名人のモチベーションが下がる恐れがあるので、上位数人の有名人のみをランキング表示するようにしてもよい。
【００４２】
図６は、上記のように構成した本実施形態による投票処理システムの動作例を示すフローチャートである。なお、図６に示すフローチャートは、端末装置２００がサーバ装置１００にアクセスしたときに開始する。
【００４３】
まず、端末装置２００の投稿情報取得要求部２２は、サーバ装置１００に対して投稿情報取得要求を送信する（ステップＳ１）。サーバ装置１００の投稿情報送信部１３は、端末装置２００から送られてくる投稿情報取得要求に応じて、有名人によって投稿された投稿情報を記憶した投稿情報記憶部１２から複数の投稿情報を読み出して端末装置２００に送信する（ステップＳ２）。
【００４４】
端末装置２００の投稿情報表示部２４は、サーバ装置１００の投稿情報送信部１３によって送信され投稿情報受信部２３により受信された複数の投稿情報を、図４のように一覧として表示する（ステップＳ３）。ここで、操作受付部２１は、投稿情報表示部２４により表示された複数の投稿情報の中から何れかを選択する操作を受け付けたか否かを判定する（ステップＳ４）。
【００４５】
ユーザが何れかの投稿情報を選択する操作を操作受付部２１が受け付けていない場合、ステップＳ４の判定処理を繰り返す。一方、投稿情報を選択する操作を操作受付部２１が受け付けた場合、端末装置２００の目的地設定部２５は、ユーザにより選択された投稿情報に記述されている施設を目的地に設定する（ステップＳ５）。また、端末装置２００の現在地特定部２６は、現在地を特定する（ステップＳ６）。そして、経路探索要求部２７は、現在地特定部２６により特定された現在地および目的地設定部２５により設定された目的地の各地点情報を含む経路探索要求をサーバ装置１００に送信する（ステップＳ７）。
【００４６】
サーバ装置１００の経路探索部１４は、端末装置２００から送られてくる経路探索要求に応じて、経路探索要求に地点情報として含まれている現在地から目的地までの経路を探索して端末装置２００に送信する（ステップＳ８）。端末装置２００の経路受信部２８は、サーバ装置１００の経路探索部１４によって送信された経路のデータを受信する。そして、経路案内部２９は、経路受信部２８により受信された経路のデータに従って、現在地から目的地までの経路を案内する（ステップＳ９）。
【００４７】
経路案内部２９は、現在地特定部２５により特定される現在地に基づいて、ユーザが目的地に到着したか否か判定する（ステップＳ１０）。ユーザがまだ目的地に到着していないと判定された場合、処理はステップＳ９に戻り、経路案内部２９は経路案内を続行する。
【００４８】
一方、ユーザが目的地に到着したと経路案内部２９により判定された場合、ポイント発行要求部３０は、応援ポイント発行要求をサーバ装置１００に送信する（ステップＳ１１）。サーバ装置１００の応援ポイント付与部１６は、端末装置２００から送られてくる応援ポイント発行要求に応じて、目的地に設定した施設に関する投稿情報を投稿した有名人に対して応援ポイントを付与して応援ポイント記憶部１７に記憶させる（ステップＳ１２）。これにより、図６に示すフローチャートの処理が終了する。
【００４９】
以上詳しく説明したように、本実施形態では、有名人によってサーバ装置１００に投稿された複数の投稿情報の中から端末装置２００においてユーザにより選択された投稿情報に記述されている施設を目的地として、端末装置２００がある現在地から目的地までの経路を探索して端末装置２００に提供する。そして、任意のトリガに従って、有名人に利益をもたらす応援ポイントを発行し、目的地に設定した施設に関する投稿情報を投稿した特定の有名人に対して応援ポイントを付与するようにしている。
【００５０】
このように構成した本実施形態によれば、ユーザが自分の好きな有名人の投稿情報を選択し、その投稿情報に記述されている施設を目的地に設定して経路を探索すると、その経路に関する任意のトリガの発生に従って有名人に利益をもたらす応援ポイントが発行され、ユーザが選択した投稿情報を投稿した有名人に対して応援ポイントが付与されることとなる。これにより、有名人によって提供される施設の投稿情報やその施設までの経路誘導をユーザが享受できることに加え、ユーザが自分の意思で自分の好きな有名人に対して応援ポイントを投票することができるようになる。したがって、ユーザと有名人との関係性を双方向的なものにして強くすることができる。
【００５１】
なお、上記実施形態では、サーバ装置１００において経路探索を行ってその結果を端末装置２００に提供する例について説明したが、本発明はこれに限定されない。例えば、端末装置２００において経路探索を行うようにしてもよい。この場合、サーバ装置１００の構成として、図２に示した経路探索部１４および地図データ記憶部１５は不要である。また、端末装置２００の構成として、図３に示した経路探索要求部２７および経路受信部２８に代えて、経路探索部および地図データ記憶部を備える。
【００５２】
また、上記実施形態では、投稿ＩＤによって個々の投稿情報を管理し、投稿ＩＤをもとに、ユーザが選択した投稿情報（目的地に設定した施設について記述した投稿情報）を投稿した有名人を特定して応援ポイントを付与する例について説明したが、本発明はこれに限定されない。例えば、投稿情報を投稿した有名人を固有の投稿者ＩＤによって管理し、投稿者ＩＤをもとに、ユーザが選択した投稿情報を投稿した有名人を特定するようにしてもよい。ユーザが選択した投稿情報を投稿した有名人を特定可能な方法であれば、これ以外の方法も適用可能である。
【００５３】
また、上記実施形態では、投稿情報の一覧とランキング情報の一覧とを別々に提供する例について説明したが、本発明はこれに限定されない。例えば、端末装置２００からの投稿情報取得要求に応じて投稿情報送信部１３が送信する投稿情報の中にランキング情報も含ませ、投稿情報表示部２４が投稿情報とランキング情報とを合わせて一覧表示するようにしてもよい。
【００５４】
図７は、その一覧表示の一例を示す図である。図７に示す例では、投稿情報を投稿した有名人（投稿者）の写真画像と、その有名人に付与された応援ポイントの累計数と、応援ポイントの取得数に関する順位と、投稿者がお勧めする施設の紹介情報を含む投稿内容と、当該施設の地点情報とが一覧として表示されている。
【００５５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５６】
１１  投稿情報受信部
１２  投稿情報記憶部
１３  投稿情報送信部
１４  経路探索部
１６  応援ポイント付与部
１７  応援ポイント記憶部
１８  ランキング情報提供部
２２  投稿情報取得要求部
２３  投稿情報受信部
２４  投稿情報表示部
２５  目的地設定部
２６  現在地特定部
２７  経路探索要求部
２８  経路受信部
２９  経路案内部
３０  ポイント発行要求部
３１  ランキング情報取得要求部
３２  ランキング情報受信部
３３  ランキング情報表示部
１００  サーバ装置
２００  ファン用の端末装置
３００  有名人用の端末装置
【図１】
2014228458.tif 000003
【図２】
2014228458.tif 000004
【図３】
2014228458.tif 000005
【図４】
2014228458.tif 000006
【図５】
2014228458.tif 000007
【図６】
2014228458.tif 000008
【図７】
2014228458.tif 000009